(57)【要約】【課題】チップケースを封印するためのラベルが再度貼り直して使用できることに加え、開封の判別が容易にできるチップケースを提供する。【解決手段】一方の主面に開口部を有する箱型で内部に複数のスローアウェイチップを収納する空間を有するケース本体２と、ケース本体２の開口部をふさぐ蓋体３とからなるチップケース１において、ケース本体２と蓋体３とを概略長方形状をなし、裏面がシール材からなるラベル５にて厳封するとともに、前記ラベル５を剥がす際にラベル５の一部である残部７が文字、数字、記号等の標記や模様をなしてチップケース１に残るような加工を施してあり、且つ再度貼り直し可能なラベル５によってチップケース１を厳封する。【選択図】  図４
2004196336.tif 000002
【特許請求の範囲】
【請求項１】
一方の主面に開口部を有する箱型で内部に複数のスローアウェイチップを収納する空間を有するケース本体と、該ケース本体の開口部をふさぐ蓋体とを具備するチップケースにおいて、前記ケース本体と前記蓋体とを裏面が粘着性を有するシール材からなるラベルにて厳封するとともに、前記ラベルを剥がす際に前記ラベルの一部が文字、数字、記号等の標記や模様をなしてチップケースに残るような加工を施し、且つ再度貼り直し可能なラベルによって前記チップケースを厳封することを特徴とするチップケース。
【請求項２】
一方の主面に開口部を有する箱型で内部に複数のスローアウェイチップを収納する空間を有するケース本体と、該ケース本体の開口部をふさぐ蓋体とを具備するチップケースにおいて、前記ケース本体と前記蓋体とを表面が延性を有するフィルム状の保護膜からなり裏面が粘着性を有するシール材からなるラベルにて厳封するとともに、前記ラベルを剥がす際に前記ラベルの一部が文字、数字、記号等の標記や模様をなしてチップケースに残るような加工を施し、且つ再度貼り直し可能なラベルによって前記チップケースを厳封することを特徴とするチップケース。
【発明の詳細な説明】
【０００１】
【発明の属する技術分野】
本発明は、複数のスローアウェイチップを収納するチップケースに関する。
【０００２】
【従来の技術】
従来より、工具を収納するためのケースは、箱型で内部に複数のスローアウェイチップを収納する空間を有するケース本体と、該ケース本体の開口部をふさぐ蓋体とからなるが、蓋体が外れないようにするとともに、開封したか否かを目視できるようにラベルにてケース本体と蓋体とを厳封することが行われている。しかしながら、従来のシール材のような破けないラベルでは一度剥がしたか否かを目視で確認することが難しいことから、開封をしたかどうかの判断がつきにくく、使用済みと未使用の判別がつきにくいという問題点があった。
【０００３】
そこで、後述の特許文献１では、略四角形状のラベルの外辺に各々複数の切り込みが形成されており、ラベルを剥がそうとした際に前記切り込みに沿ってラベルが容易に破れるので、そのラベルを剥がしたかどうかを判別することが出来ることが記載されている。
【０００４】
また、後述の特許文献２では、略四角形状のラベルの中央付近に破断用のＶ字形状の切り込みが形成されており、ラベルを剥がそうとした際に前記Ｖ字形状の切り込みの内側は被貼付物に残存しようとし、その外側部分が剥がされようとするので結果としてラベルが破れた状態で剥離されるので、一度剥がしたラベルを再使用することが出来ないことが記載されている。
【０００５】
【特許文献１】
実開平４−１２４２７８号公報
【特許文献２】
特開平７−１４６６５１号公報
【０００６】
【発明が解決しようとする課題】
しかしながら、上記特許文献１に記載の方法では、ラベルを剥がす際に、ラベルが外辺に形成された複数の切り込みに沿って破れてしまうので、ラベル全てを一度に剥がすことが難しいという問題があった。さらに、この方法をチップケースの厳封に応用した場合、切り込みの位置によって切り込みに沿って破れなかったり、逆に切り込みに沿って破れるが開封に至らず再度残った部分を剥がして開封しなければならなくなる等の不具合が生じることに加え、ラベルはバラバラに破れてしまうため、チップケースの封として再使用することは出来ない。
【０００７】
また、上記特許文献２に記載の方法をチップケースの厳封に応用した場合でも、一度ラベルを剥がそうとするとＶ字形状の切り込みの内側は被貼付物に残存しようとし、外側は剥がされようとするので前記切り込みに沿ってラベルが破れてしまうことから、チップケースの封として再使用することは出来ない。
【０００８】
本発明は、上記課題を解決するためになされたものであり、ラベルを再度貼り直して使用出来ることに加えて、再度貼り直したとしてもそれは既に開封済みのものであることが目視で容易に判別できるようなチップケースを提供することを目的とするものである。
【０００９】
【課題を解決するための手段】本発明者は上記の問題について検討した結果、ラベルを剥がす際にラベルの一部が剥離してチップケースに残るような加工をラベルに施し、そのチップケースに残る形状を文字や数字等の複雑な形状とすることで、ラベルを再度貼り直して使用出来ることに加えて、再度貼り直したとしてもそれは既に開封済みであることを目視で容易に判別することができることを知見した。
【００１０】
すなわち、請求項1のチップケースは、一方の主面に開口部を有する箱型で内部に複数のスローアウェイチップを収納する空間を有するケース本体と、該ケース本体の開口部をふさぐ蓋体とを具備するチップケースにおいて、前記ケース本体と前記蓋体とを裏面が粘着性を有するシール材からなるラベルにて厳封するとともに、前記ラベルを剥がす際に前記ラベルの一部が文字、数字、記号等の標記や模様をなしてチップケースに残るような加工を施し、且つ再度貼り直し可能なラベルによって前記チップケースを厳封することを特徴とするものである。
【００１１】
また、請求項２のチップケースは、一方の主面に開口部を有する箱型で内部に複数のスローアウェイチップを収納する空間を有するケース本体と、該ケース本体の開口部をふさぐ蓋体とを具備するチップケースにおいて、前記ケース本体と前記蓋体とを表面が延性を有するフィルム状の保護膜からなり裏面が粘着性を有するシール材からなるラベルにて厳封するとともに、前記ラベルを剥がす際に前記ラベルの一部が文字、数字、記号等の標記や模様をなしてチップケースに残るような加工を施し、且つ再度貼り直し可能なラベルによって前記チップケースを厳封することを特徴とするものである。
【００１２】
【発明の実施の形態】以下、本発明のチップケースについて、その分解斜視図である図1、ラベルを貼って厳封した状態の概略斜視図である図２（（ａ）上方から見た斜視図、（ｂ）下方から見た斜視図）、ラベルの模式図である図３、ラベルを貼って厳封した状態のラベル貼付部の模式図である図４、ラベルを剥がして開封した状態のラベルに残った残部の模式図である図５、及び一度開封した後再度ラベルを貼り付けた状態のラベル貼付部の模式図である図６を用いて説明する。図１によれば、チップケース１は箱型で、内部に複数のスローアウェイチップを収納する空間６を有するケース本体２と、ケース本体２の開口部をふさぐ蓋体３とからなる。なお、図１によれば、空間６は仕切りによって区分けされており、チップは個別に収納される。
【００１３】
一方、ラベル５は、その表面が単純に引っ張っても破れない樹脂製の材質からなり、かつ裏面が接着剤にて粘着性を有するシール材からなる。また、その形状は、図３に示すような、概略長方形形状（概略帯状）をなすものが封をしやすく好ましい。
【００１４】
本発明のチップケースは、図４又は図５に示すようにラベル５を剥がす際にラベルの一部である残部７が文字、数字、記号等の標記や模様をなしてチップケース１に残るような加工を施したラベルによってチップケースを厳封することを大きな特徴とするものである。これによって、ラベルを剥がした状態では一度開封されていることが明らかであることはいうまでもないが、一度剥がしたラベル５を再度貼り直すことが出来ることにより、蓋が開いて中のチップがバラバラにならないように蓋の押さえとして再度封をしておくことが出来る上に、ラベル５の残部７の形状が文字、数字、記号等比較的複雑な形状をなしているため、図６に示すようにラベル５の残部７とラベル５とを元通りにきっちり位置を合わせて貼り直すことは難しく、ずれが生じ易いため、そのずれを見ることによりチップケース１が開封されたかどうかを目視で容易に判別することができる。ここでラベル５の残部７の加工としては、ラベル５の中央部に前述のような文字、数字、記号等の形状をなす切込みを設けて、ラベル５の切り抜きのような切片をチップケース１に残すようにする加工や、ラベル５に保護膜を用いてラベル５の裏面の粘着層の一部のみが前述のような文字、数字、記号等の形状をなしてチップケース１に転写されるような加工等が好ましい。尚、前記残部７はラベル５を剥がす際に分離するように切り込み等の加工がされているため、ラベル５を剥がす際にラベル５自体に破れが生じるような不具合はなく、一度剥がしたラベル５は元の概略長方形形状を保っているので、再度、封として使用することが可能となる。
【００１５】
また、ラベル５の残部７の形状が複雑なほど再度貼り直したラベル５とのずれが生じやすいことは前述したとおりであるが、チップケース１に収納されているスローアウェイチップの型番、材質等がラベルを剥がした状態でも判るように、文字、数字、記号等からなるラベルの残部７でスローアウェイチップの型番や材質等を表すようにしてもよい。
【００１６】
また、ラベル５の素材を、表面が延性を有するフィルム状の保護膜とし裏面が粘着性を有するシール材とすることにより、一度ラベル５を剥がしてしまうとその際にフィルム状の保護膜が延びてしまい元の形状から変形してしまうので、再度貼り直した場合にラベル５の残部７の形状と再度貼り直したラベル５とのずれが一層生じやすくなる。ここでフィルム状の保護膜の素材としては、ポリエチレンやポリプロピレン等が延性を有しており好ましい。
【００１７】
さらに、ラベル５の色はケースに残った残部７が識別しやすい色であることが望ましく、例えばグレー、黒、白、中でもグレーがよい。
【００１８】
また、前記ラベル５の残部７でチップケース１の内容を示す代わりに、チップケース１を成型する時の金型に刻印したり、チップケース１にレーザー加工を施す等の方法にてチップ情報をチップケース１に直接刻印して表記することも可能である。
【００１９】
【発明の効果】
以上詳述したとおり、請求項1のチップケースによれば、ラベルを再度貼り直して蓋の押さえとして再利用出来ることに加えて、ラベルを剥がす際にラベルの一部が剥離して文字、数字、記号等の標記や模様をなしてチップケースに残るような加工を施したラベルで、チップケース本体と蓋体とを厳封することによって前記チップケースを開封したかどうかの判別が容易にできる。
【００２０】
また、請求項２のチップケースによれば、ラベルを再度貼り直して蓋の押さえとして再利用出来ることに加えて、前記ラベルの素材は表面が延性を有するフィルム状の保護膜からなり裏面が粘着性を有するシール材からなり、且つ前記ラベルを剥がす際に前記ラベルの一部が文字、数字、記号等の標記や模様をなしてチップケースに残るような加工を施したラベルで、チップケース本体と蓋体とを厳封することによって前記チップケースを開封したかどうかの判別を更に容易にすることが出来る。
【図面の簡単な説明】
【図１】本発明のチップケース本体、蓋体およびラベルの一例を示す分解斜視図である。
【図２】本発明のチップケースの一例について、ラベルを貼って厳封した状態を示す（ａ）概略上面斜視図、（ｂ）概略下面斜視図である。
【図３】本発明におけるラベルの模式図である。
【図４】本発明のチップケースの一例について、ラベルを貼って厳封した状態のラベル貼付部の模式図である。
【図５】本発明のチップケースの一例について、ラベルを剥がして開封した状態のラベルに残った残部の模式図である。
【図６】本発明のチップケースの一例について、一度開封した後再度ラベルを貼り付けた状態のラベル貼付部の模式図である。
【符号の説明】１：チップケース
２：ケース本体
３：蓋体
４：ケース裏面
５：ラベル
６：スローアウェイチップを収納する空間
７：ラベルの残部
【図１】
2004196336.tif 000003
【図２】
2004196336.tif 000004
【図３】
2004196336.tif 000005
【図４】
2004196336.tif 000006
【図５】
2004196336.tif 000007
【図６】
2004196336.tif 000008